(57)【特許請求の範囲】
【請求項１】
高速送込み機構の上流端から下流端へ移動する薄肉で円筒形の物品を選択し、グループ化する楔形セレクタであって、前記楔形セレクタは、前端と、この前端に対向する後端と、概ね垂直な第１の面と、この第１の面と前記前端において交差して、鋭角をなす概ね垂直な第２の面とを有するボディを備え、前記第２の面は、送込み機構上の物品に接触するために外向きに湾曲している面を有し、かつ送込み機構の上流端を向いており、
前記第２の面に接触する物品の圧力により、前記物品の一部は、前記外向きに湾曲している面に対応して一時的に変形し、前記第２の面の外向きに湾曲している面により、物品は、損傷することなく、送込み機構で移動する物品と、前記楔形セレクタとの相対速度に比例した大きい圧力に対して、耐えることができるようになっている楔形セレクタ。
【請求項２】
前記第１の面と第２の面は、双方に共通である前記前端において、湾曲している突縁を形成している請求項１記載の楔形セレクタ。
【請求項３】
前記第１の面は、概ね水平な前縁と概ね水平な後縁とを有し、前記前縁は、前記後縁と平行であり、前記第２の面は、概ね水平な前縁と概ね水平な後縁を有し、前記前縁は、前記後縁と平行であり、さらに前記ボディは、概ね水平である第１の側面と、概ね水平である第２の側面と、後面とを有し、前記第１の側面は、前記第１の面の後縁と前記第２の面の後縁との間にあり、前記第２の側面は、前記第１の面の前縁と、前記第２の面の前縁との間にあり、前記後面は、前記ボディの後端に位置し、かつ前記第１の面、第１の側面、及び第２の側面と交差する縁を有する請求項１記載の楔形セレクタ。
【請求項４】
前記ボディは、前記第２の側面において溝を有し、前記溝は、前記後面から延び、動力付きの逃がしバーの一端を嵌入しうる形状である請求項３記載の楔形セレクタ。
【請求項５】
前記ボディは、前記第１の側面から、横方向に前記ボディを貫通して、前記溝に達する少なくとも１つの孔を有し、前記ボディは、前記少なくとも１つの孔を介して、逃がしバーの一端に固着されている請求項４記載の楔形セレクタ。
【請求項６】
前記少なくとも１つの孔の一部には、前記第１の側面において、座ぐりが形成されている請求項５記載の楔形セレクタ。
【請求項７】
前記ボディは、さらに、前記第１の面に対向して位置する第３の面を有し、前記第３の面は、前記後面と前記第２の面に、及び前記第１の側面と前記第２の側面にわたっている請求項３記載の楔形セレクタ。
【請求項８】
前記第３の面は、概ね平面で、前記第１の面と平行である前部及び後部を有し、前記後部は、前記前部と連なり、かつ前記第１の面に近接している請求項７記載の楔形セレクタ。
【請求項９】
前記第３の面は、前記第２の側面に向かって傾斜する傾斜部を有する請求項７記載の楔形セレクタ。
【請求項１０】
前記第３の面は、前部、後部、及び傾斜部を有し、前記前部及び後部は、概ね平面で、かつ前記第１の面と平行であり、前記後部は、前記前部と連なり、かつ前記第１の面に近接しており、前記傾斜部は、前記第２の側面に向かって傾斜し、かつ前記前部と前記後部と交差している請求項７記載の楔形セレクタ。
【請求項１１】
楔形セレクタであって、
（ａ）前記第１の面及び前記第２の面は、双方に共通である前記前端において湾曲している突縁を形成し、
（ｂ）前記第１の面は、概ね水平な前縁と概ね水平な後縁とを有し、前記前縁は、前記後縁と平行であり、前記第２の面は、概ね水平な前縁と概ね水平な後縁とを有し、前記前縁は、前記後縁と平行であり、さらに前記ボディは、概ね水平な第１の側面と、概ね水平な第２の側面と、後面とを有し、前記第１の側面は、前記第１の面の後縁と前記第２の面の後縁との間にあり、前記第２の側面は、前記第１の面の前縁と前記第２の面の前縁との間にあり、前記後面は、前記楔形セレクタの前記後端に位置し、かつ前記第１の面、第１の側面、及び第２の側面と交差する縁を有し、
（ｃ）前記ボディの第２の側面に溝を有し、この溝は、前記後面から延びて、動力付きの逃がしバーの一端を嵌合しうる形状であり、
（ｄ）前記ボディは、前記第１の側面から、ボディを貫通して、前記溝に達する少なくとも１つの孔を有し、前記少なくとも１つの孔の一部には、前記第１の側面において座ぐりが形成されており、
（ｅ）前記ボディは、前記第１の面に対向して位置する第３の面を有し、前記第３の面は、前記後面と前記第２の面に、及び前記第１の側面と第２の側面にわたっており、前記第３の面は、前部、後部、及び傾斜部を有し、前記前部及び後部は、概ね平面で、かつ前記第１の面と平行であり、前記後部は、前記前部と連なり、かつ前記第１の面に近接して設けられ、前記傾斜部は、前記第２の側面に向かって傾斜し、かつ前記前部及び後部と交差している、請求項１記載の楔形セレクタ。
【請求項１２】
前記ボディを移動させる手段をさらに備える請求項１記載の楔形セレクタ。
【請求項１３】
前記ボディを移動させる手段は、動力付きの逃がしバーである請求項12記載の楔形セレクタ。
【請求項１４】
前記ボディを移動させる手段は、前記ボディを固着する手段を備える請求項12記載の楔形セレクタ。
【請求項１５】
円筒形の物体は、飲料用缶である請求項１記載の楔形セレクタ。
【請求項１６】
高速送込み機構で移動する、円筒形で薄肉なアルミニウム製の飲料用缶を選択する楔形セレクタであって、
（ａ）前端と、前記前端と対向する後端と、概ね垂直な第１の面と、概ね垂直な第２の面と、概ね水平な第１の側面と、概ね水平な第２の側面と、概ね垂直な後面とを有するボディを有し、前記第１の面と第２の面は、前記前端で交差して鋭角をなすとともに、双方に共通である突縁を形成し、前記第２の面は、外向きに湾曲しており、前記第２の面により、前記楔形セレクタに接触する物品の部分は、前記外向きに湾曲している面に対応して変形し、前記缶は、損傷することなく、前記缶と前記楔形セレクタとで発生する圧力に耐え、前記圧力は、前記高速送込み機構で移動する缶と、前記楔形セレクタとの相対速度の大きさに比例し、前記第１の面は、さらに、概ね水平な前縁と概ね水平な後縁とを有し、前記前縁は、前記後縁と平行であり、前記第２の面は、概ね水平な前縁と概ね水平な後縁とを有し、この前縁は、前記後縁と平行であり、前記第１の側面は、前記第１の面の後縁と、前記第２の面の後縁との間にあり、前記第２の側面は、前記第１の面の前縁と、前記第２の面の前縁との間にあり、前記後面は、前記ボディの後端に位置し、かつ前記第１の面、第１の側面、及び第２の側面と交差する縁を有し、前記ボディは、前記第２の側面において、前記後面から延びる溝と、前記第１の側面から、ボディを貫通して前記溝に達し、かつ前記第１の側面において座ぐりが形成された少なくとも１つの孔を有し、前記ボディは、さらに、前記第１の面に対向して位置する第３の面を有し、前記第３の面は、前記後面と第２の面に、及び前記第１の側面と第２の側面にわたり、前記第３の面は、前部、後部、及び傾斜部を有し、前記前部及び後部は、概ね平面であり、前記第１の面と平行であり、前記後部は、前記前部と連なり、かつ前記第１の面に近接しており、前記傾斜部は、前記第２の側面に向かって傾斜し、かつ前記前部及び後部と交差しており、
（ｂ）前記ボディを、移動方向の所定の位置へ移動させる動力付きの逃がしバーと、
（ｃ）前記動力付きの逃がしバーに、前記ボディを固着する手段と
を備える楔形セレクタ。
【請求項１７】
梱包装置上にある円筒形の物品を選択してグループ化する装置であって、
（ａ）前端と、この前端と対向する後端と、概ね垂直な第１の面と、前記前端において、前記第１の面と鋭角をなす第２の面を有し、前記第１の面は、外向きに湾曲している面を有する複数の楔形セレクタと、
（ｂ）前記楔形セレクタのそれぞれに固着され、所定の間隔で互いに並列に設けられた複数の可動逃がしバーと、
（ｃ）送込み機構と、
（ｄ）前記送込み機構で移動する円筒形の物品を、前記可動逃がしバーの方向に向け、前記楔形セレクタと共に前記可動バーに貫通されうる、傾斜して設けられたレーンとを備え、
前記送込み機構は、前記円筒形の物品をレーンに送り、前記レーンは、前記円筒形の物品を前記可動逃がしバーに案内し、物品のグループを構成するために、前記楔形セレクタが、円筒形の物品の間に挾まれ、前記楔形セレクタが前記円筒形の物品に接触すると、前記楔形セレクタの前記第２の面に接触する円筒形の物品の部分は、前記レーン内の円筒形の物品に対する圧力により、前記外向きに湾曲している第２の面に対応して変形し、前記物品は、前記外向きに湾曲している面により、損傷することなく、物品と前記楔形セレクタとで発生する圧力に耐えることができるようになっており、
前記圧力は、前記高速送込み機構で移動する缶と、前記楔形セレクタとの相対速度に比例の大きさに比例し、前記相対速度が大きくなることにより、物品の選択グループ化処理が速くなるようにした、梱包装置上における円筒形の物品を選択してグループ化する装置。
【請求項１８】
カートンにパッケージングするために、梱包装置上にある円筒形の物品を選択してグループ化する装置であって、
（ａ）ボディを有し、このボディは、前端と、前記前端に対向する後端と、概ね垂直な第１の面と、概ね垂直な第２の面と、概ね水平な第１の側面と、概ね水平な第２の側面と、概ね垂直な後面とを有し、前記第１の面及び前記第２の面は、前記前端において交差して鋭角をなし、かつ双方に共通である縁を形成し、前記第２の面は、外向きに湾曲している面であり、前記第２の面により、前記楔形セレクタに接触する物品の部分は、前記外向きに湾曲している面に対応して変形し、前記第１の面は、さらに、概ね水平な前縁と概ね水平な後縁とを有し、前記前縁は、前記後縁と平行であり、前記第２の面は、概ね水平な前縁と概ね水平な後縁とを有し、前記前縁は、前記後縁と平行であり、前記第１の側面は、前記第１の面の後縁と前記第２の面の後縁との間にあり、前記第２の側面は、前記第１の面の前縁と前記第２の面の前縁との間にあり、前記後面は、前記ボディの後端に位置し、前記第１の面、第１の側面、及び第２の側面と交差する縁を有し、前記ボディは、前記第２の側面において前記後面から延びる溝を有し、前記第１の側面から、前記ボディを貫通して、前記溝に達する少なくとも１つの孔を有し、前記少なくとも１つの孔の一部には、前記第１の側面において、座ぐりが形成され、前記ボディは、さらに、前記第１の面に対向する位置に第３の面を有し、この第３の面は、前記後面と前記第２の面、及び第１の側面と第２の側面にわたり、前記第３の面は、前部、後部、及び傾斜部を有し、前記前部及び後部は、概ね平面であり、前記第１の面と平行であり、前記後部は、前記前部と連なり、かつ前記第１の面に近接しており、前記傾斜部は、前記第２の側面に向かって傾斜し、かつ前記前部及び後部と交差しており、
（ｂ）所定の間隔及び移動方向をもって、互いに並列に設けられ、前記楔形セレクタをそれぞれ有する複数の可動逃がしバーと、
（ｃ）送込み機構と、
（ｄ）前記送込み機構で移動する円筒状の物品を前記可動逃がしバーの方向に向け、前記楔形セレクタと共に前記可動バーに貫通されうる、楔形セレクタの移動方向に対して傾斜して設けられたレーンとを備え、
前記送込み機構は、前記円筒形の物品を前記レーンに供給し、前記レーンは、前記円筒形の物品を前記可動逃がしバーに案内し、物品のグループを形成するために、前記楔形セレクタが、円筒形の物品の間に挾まれ、前記楔形セレクタが前記円筒形の物品に接触すると、前記レーン内の円筒形の物品に対する圧力により、前記楔形セレクタの第２の面に接触する円筒形の物品の部分は、前記外向きに湾曲している第２の面に対応して変形し、前記物品は、前記第２の面の外向きに湾曲している面により、損傷することなく、物品と前記楔形セレクタとで発生する圧力に対して、耐えることができるようになっており、前記圧力は、前記高速送込み機構で移動する缶と、前記楔形セレクタとの相対速度の大きさに比例して、前記相対速度が大きくなることにより、物品の選択グループ化処理が速くなるようにしてなる、梱包装置上にある円筒状の物品を選択してグループ化する装置。
【発明の詳細な説明】
発明の背景
1.発明の分野
本発明は、広義には梱包装置、より詳しく言うと、カートン詰機の送込み端にある物品を、選択したり分別したり、または計量して、グループ化するために用いられる装置に関する。特に、本発明は、カートン詰機上の飲料用缶のような物品を分別するために用いられる、逃がしバーの楔形セレクタに関する。
2.発明の背景
一般的な梱包装置では、隙間なく詰められ、グループ化される前の物品の流れや列が、送込みコンベヤのレーンによって、所定の大きさ及び向きにグループ化する選択機構または計量機構に移動させられる。飲料用缶のような物品を、継続して動作する機械で処理するために、缶の選択や分別、またはグループ化は、缶の間に逃がしバーを挾むことにより行われる。コンベヤは、送込みコンベヤと概ね同じ方向を向いている一連の逃がしバーを備えている。逃がしバーの先端には、送込まれた円筒形の缶のスタックを通る楔形セレクタが設けられ、逃がしバーを、円筒形の缶の間に容易に挾むことができるようになっている。
グループ化する前に、缶をレーンに次々と送込むために、送込みコンベヤは、逃がしバーを備えるコンベヤよりも速く走行する。そのため、グループ化領域において、缶に圧力がかかる。楔形セレクタが缶に接触すると、レーンにある全ての缶の送込み圧力が、楔形セレクタにかかることになる。
従来の楔形セレクタの缶に接触する部分は平面である。送込み圧力が大きすぎ、楔形セレクタに接触する缶の部分が凹んだり折れ曲がったりすることがある。凹んだり折れ曲がったりした缶を含むパッケージは、不良品とされるため、梱包処理の費用がかさむこととなる。
従来の不利、欠点、及び限界を克服する缶用の楔形セレクタが必要であったにもかかわらず、知る限り、現在まで開発されていない。従って、本発明の目的は、缶用カートン詰機の逃がしバーに固着して用いられる、改善した楔形セレクタを提供することにあり、これにより、缶の接触した部分が凹んだり折れ曲がったりすることなく、機械の送込み圧力に対応できるようになる。
発明の概要
本発明は、カートン詰機に用いる物品の楔形セレクタを提供するものである。楔形セレクタの物品と接触する面は、非平面である。この楔形セレクタは、変形し易い薄肉の飲料用缶のような円筒形の物品に対して用いるのに、特に好適である。
好ましい実施例では、接触面は、凸状に湾曲しており、円筒形の薄肉の物品は、送込み荷重がかかっても、凹んだり折れ曲がったりすることなく、接触面に対応して変形するようになる。また、好ましい実施例における物品の楔形セレクタは、逃がしバーの一端を嵌合して、ねじにより固着しうるようにした溝を有している。
本発明の特徴、利点、及び目的は、以下の説明、請求項、及び図面から、当業者に明らかになると思う。
図面の説明
図１は、梱包機の缶選択領域の平面図であり、缶の送込みレーン、コンベヤ、逃がしバー、及び楔形セレクタが、どのように機能して、缶を選択し分別してグループ化するかを示している。
図２は、梱包機の缶選択領域の部分平面図であり、どのように楔形セレクタが逃がしバーに固着されているか、及び楔状セレクタが、どのようにして缶を選択して分別してグループ化するべく機能するかを示している。
図３は、本発明の楔形セレクタの斜視図である。
図４は、図３の楔形セレクタの平面図である。
図５は、図３の楔形セレクタの側面図である。
図６は、図３の楔形セレクタの後面図である。
図７は、缶に接触している本発明の楔形セレクタの図である。
なお、図４及び図５における右を前部、左を後部とする。
詳細な説明
本発明の楔形セレクタは、ジーグラー（Ziegler）による米国特許5,456,058号明細書に記載されているような飲料用缶のカートン詰機に用いて好適なものである。
図１及び図２に示すように、カートン詰機は、選択装置を備えている。缶（10）は、送込みコンベヤ（12）により、レーン（14）内を移動させられる。缶（10）は、レーン（14）により、楔形セレクタ（20）が固着された逃がしバー（18）を備えるもう１つのコンベヤ（16）上に斜めに送出される。缶（10）の流れが、逃がしバー（18）を備えるコンベヤ（16）に移ると、各逃がしバー（18）の楔形セレクタ（20）が、缶（10）の間に突入し、これにより、逃がしバー（18）は、缶（10）をグループ（50）に分別する。
グループ（50）の大きさ、向き、及び寸法は、レーン（14）の数、製品の寸法、及びコンベヤ（16）の逃がしバー（18）の形状と間隔に応じて定められる。図１に示す例では、４つのレーン（14a）〜（14d）を有し、各レーン毎に３個の缶を選択して、（４×３）個からなる12缶の長方形のグループ（50）を構成するように、逃がしバー（18）の間隔を定めてある。
レーン（14）は、逃がしバー（18）の楔形セレクタ（20）が貫通しうるレーン分別壁（15）を備えている。好ましい実施例では、レーン分別壁（15）の送込みコンベヤ（12）に近い端部（17）に、十分に広いスロット（図示せず）を設けて、楔形セレクタ（20）が貫通できるようにしてある。
送込みコンベヤ（12）は、逃がしバー（18）を備えるコンベヤ（16）よりも速く走行するようになっているため、楔形セレクタ（20）が缶（10）を選択して、グループに分別する時に、送込まれている缶（10）の大きな圧力が、缶用の楔形セレクタ（20）に作用する。つまり、レーン（14）上に整列している全ての缶の前進圧力が、楔形セレクタ（20）の当接面、すなわち第２の面（24）に作用する。この圧力により、楔形セレクタ（20）に接触している缶（10）の部分が押圧される。この圧力は、楔形セレクタ（20）に接触している缶（10）の部分を、凹ませたり、折り曲げてしまう程に大きいことがある。
この問題は、缶に接触する楔形セレクタの当接面の形状に起因している。従来の楔形セレクタでは、缶（10）に接触する当接面、すなわち第２の面は、平面である。缶は円筒形であるので、缶を横方向に押圧しても、凹みや折曲げのような永久歪みを起こさせることなく、また、押圧の最中に、押圧される領域の表面積が変化しないようにすることが必要である。
楔形セレクタの前端面が平面であると、上述したようなことは行われない。平面の部分が円筒形の缶の側面を押圧すると、この平面により、平らな凹みが缶の壁に形成されようとする。この平面的な凹みの表面積は、缶の表面積よりも小さいため、缶の壁の押圧された部分には、局部座屈、つまり凹みや折曲げを起こすのに十分な、高い圧力が作用することになる。
損傷した缶を調べてみると、損傷の多くは、楔形の平面部の縁部付近で発生することがわかった。これは、最大荷重が変化する位置に、最大曲げ荷重がかかることを示し、上述の理論と一致している。
この問題を解消する試みとして、楔形の平面の縁にのみ丸みをつけたこともあるが、接触面の大部分が平面のままであるので、問題を大きく改善することはできなかった。
本発明は、楔形セレクタ（20）のボディに、外向きに湾曲している第２の面（24）を設けることによって、問題を解決している。この楔形セレクタ（20）を用いることにより、外向きに膨らんでいる缶の一部を、表面積を変えることなく、内向きに湾曲させることができる。本発明の楔形セレクタに関する卓上試験では、円筒形の缶及び段付き缶の両方を、眼に見えるような損傷なく、約3mm（1/8インチ）圧縮することができた。このことは、従来の楔形セレクタの平面部を用いれば、缶を約1.5mm（1/16インチ）圧縮しただけで、明らかな損傷が生じたものに比べて優れている。
図３〜図６に示すように、本発明の楔形セレクタ（20）は、第１の面（22）と、第１の面（22）に対向し、かつ非平面である当接面、すなわち第２の面（24）とを有する楔形のボディを備えている。２つの面（22）及び面（24）は、鋭角θをなして交っている。第２の面（24）は、レーン上にある缶の送込み圧力に抗して作用する。
好ましい実施例では、第１の面（22）は、平面であり、角度θは、概ね30゜である。第２の面（24）は、約76mm（３インチ）の曲率半径をもって、外方に円筒状に膨らむ曲面となっている。すなわち、この曲面は、第２の面（24）の側方向に湾曲している。第２の面（24）は、一連の小さな平面やその他の面を連続させて、近似的曲面としたものでもよい。
第１の面（22）と第２の面（24）とがなす角度が30゜であるので、第２の面（24）の前端（17）は、レーン分別壁（15）に対して直角となる。従って、缶（10）の送込み圧力の反力は、缶（10）が移動するのと同じ方向に作用し、缶（10）が楔形セレクタ（20）に接触して、缶（10）とレーン分別壁（15）との摩擦を増加させる側壁荷重が、缶（10）に作用することはない。
第２の面（24）と第１の面（22）とが交差するところ、すなわち前縁（44）は、突縁となっている。好ましい実施例においては、前縁（44）は、湾曲している。第２の面（24）の曲率半径が短くなると、前縁（44）の曲率も小さくなる。まず、この前縁（44）が缶（10）に接触する。前縁（44）の曲率が小さすぎると、初めにほんの少しの部分でのみ接触し、缶を損傷してしまう。
第２の面（24）の曲率半径を約76mm（３インチ）とすると、第２の面（24）の曲率は大となり、薄肉の缶が、送込み圧力によって損傷するのが防止される。また、前縁（44）の曲率半径は、かなり大きいため、接触部分も十分に大となり、前縁（44）の接触時に、缶を損傷することはない。前縁（44）以外の全ての外側縁部には、曲率半径約3mm（1/8インチ）の丸みを付けておくのが好ましい。
好ましい実施例では、楔形セレクタ（20）は、第１の面（22）及び第２の面（24）に加えて、第１の側面（21）、第２の側面（23）、後面（25）、及び第１の面（22）にそれとほぼ平行に対向する第３の面（27）を有する塊状のものである。
第３の面（27）は、後面（25）に隣接する後部（29）と、第２の面（24）に連なる前部（31）とを有している。後部（29）及び前部（31）は、概ね平面であり、第１の面（22）と平行になっている。前部（31）は、第１の面（22）から離れ、かつ後部（29）と連なっており、第３の面（27）に段を形成している。
後部（29）と逃がしバー（18）は、直線的に設けられており、楔形セレクタ（20）と逃がしバー（18）との間に段差がないので、缶（10）は、楔形セレクタ（20）から逃がしバー（18）に円滑に移動することができる。
缶のグループは、後部（29）を越えて、逃がしバー（18）の全長に亘って広がることができる。前部（31）は、後部（29）に対して段差を有し、楔形セレクタ（20）が缶の間を移動する時における、第２の面（24）との接触する部分が十分に長くなっている。
また、第３の面（27）は、第２の側面（23）の方向に向かって、横方向に下向傾斜し、かつ後部（29）及び前部（31）と交わる傾斜部（33）を有している。２種類以上の缶をスタックに分類し、それらのスタックをパッケージングする機械に楔形セレクタ（20）を用いる際に、この傾斜部（33）が必要となる。
ボール紙の仕切板が、缶の種類毎に、スタックに挟まれる。また、傾斜部（33）は、仕切板を挾む時、それを楔形セレクタ（20）まで押し入れることができるようにするために必要となる。
図２、図４、及び図５に示す好ましい実施例においては、楔形セレクタ（20）には、逃がしバー（18）の前端部を嵌合するための、面（28）、面（30）、及び面（32）により囲まれた溝（26）が設けられている。
楔形セレクタ（20）は、固着手段により、選択装置（図示せず）の逃がしバー（18）に固着されている。好ましい実施例では、固着手段は、１対の押えねじ（46）であり、これを、座ぐり（38）及び座ぐり（40）を有し、かつ溝（26）に達する孔（34）及び孔（36）へ貫通することにより、逃がしバー（18）を固着している。
図７は、缶（10）と接触している本発明の楔形セレクタ（20）を示している。楔形セレクタ（20）の第２の面（24）が、缶（10）の円筒状の側壁（42）に接触すると、側壁（42）は、楔形セレクタ（20）の第２の面（24）に対応して変形する。缶用のカートン詰機の送込み機構による通常の荷重では、楔形セレクタ（20）の第２の面（24）が湾曲しているために、缶（10）の側壁（42）が凹んだり、しわになったりすることはなく、第２の面（24）に対応して変形する。
楔形セレクタ（20）の材料は、適宜の硬質材料でもよい。好ましい例は、「デルリン」（DELRIN）という名称のプラスチックである。
上述した記載及び図面は、例示的なものであり、本発明は、これに限定されるものではない。以上、本発明を好ましい実施例に則して開示したが、請求の範囲に記載した発明の範囲に含まれる他の実施例も考えられる。請求項は、特定の機能を行うための手段またはステップとして記載してあるが、明細書や関連物に記載された対応する構造、材料、または作用、並びにこれらと構造的に同一なもの、及び同一の構造のものを含むものである。
【図３】
0003653574.tif 000002
【図４】
0003653574.tif 000003
【図５】
0003653574.tif 000004
【図６】
0003653574.tif 000005
【図７】
0003653574.tif 000006
【図１】
0003653574.tif 000007
【図２】
0003653574.tif 000008